(57)【要約】【課題】柱がホゾ穴の周囲にめり込むのを抑制する。【解決手段】ホゾ穴用調整体１０は、硬質の薄板状からなる２枚のホゾ穴用調整板１１，１２と、これらホゾ穴用調整板１１,１２よりも厚みの大きい硬質の角柱状からなるホゾ穴用ブロック１３とが互いに分離可能に積層されて構成されている。そして、ホゾ穴用調整体１０は、ホゾ穴３ａに嵌め込まれたホゾ４ａの先端面４ａ１と基礎パッキン２との間の隙間３ｂを埋めるために配置される。【選択図】図２
2020183633.tif 000002
【特許請求の範囲】
【請求項１】
柱のホゾが嵌め込まれるホゾ穴内に配置されるホゾ穴用調整体であって、
硬質の薄板状からなる１以上のホゾ穴用調整板と、前記ホゾ穴用調整板よりも厚みの大きい硬質の角柱状からなるホゾ穴用ブロックとが互いに分離可能に積層されて構成され、前記ホゾ穴に嵌め込まれた前記ホゾの先端面と前記先端面と対向する対向部との間の隙間を埋めるために配置されることを特徴とするホゾ穴用調整体。
【請求項２】
柱のホゾが嵌め込まれるホゾ穴内に配置されるホゾ穴用調整体であって、
硬質の薄板状からなる複数のホゾ穴用調整板が互いに分離可能に積層されて構成され、前記ホゾ穴に嵌め込まれた前記ホゾの先端面と前記先端面と対向する対向部との間の隙間を埋めるために配置され、
前記複数のホゾ穴用調整板は、第１のホゾ穴用調整板と前記第１のホゾ穴用調整板と厚みの異なる第２のホゾ穴用調整板とを含むことを特徴とするホゾ穴用調整体。
【請求項３】
柱のホゾが嵌め込まれるホゾ穴内に配置されるホゾ穴用調整板であって、
硬質の薄板状からなり、前記ホゾ穴に嵌め込まれた前記ホゾの先端面と前記先端面と対向する対向部との間の隙間を埋めるために配置されることを特徴とするホゾ穴用調整板。
【発明の詳細な説明】
【技術分野】
【０００１】
本発明は、ホゾ穴に柱のホゾを嵌め込んだときにホゾの先端面とその先端面と対向する基礎などの対向部との間の隙間を埋めるために配置するホゾ穴用調整体及びホゾ穴用調整板に関する。
【背景技術】
【０００２】
従来の木造住宅の軸組工法は、コンクリート製の基礎の上に、木製の土台を載せ、この土台の上に柱を立てる。柱の下端にはホゾが設けられ、土台にはホゾ穴が形成され、当該ホゾがホゾ穴に嵌め込まれて、柱と土台との結合が行われる。
【０００３】
このような従来の軸組工法では、柱からの荷重を土台のホゾ穴周辺の上面で受ける構造になっているため、土台のホゾ穴周辺がその荷重によりめり込むように変形することがある。そこで、特許文献１には、基礎の上にベースプレートを敷きその上に、ホゾ穴が形成された土台を載せ、このホゾ穴に支柱を挿入し、土台上のホゾ穴周辺に耐圧板を敷き、この耐圧板上から下端にホゾが形成された柱を挿し込んで固定する技術が記載されている。これにより、耐圧板にかかる柱からの荷重を、支柱でベースプレートに伝えて土台を介さずに基礎に伝えることが可能となり、ホゾ穴周辺のめり込みを抑制することが可能となる。
【先行技術文献】
【特許文献】
【０００４】
【特許文献１】特開平１０−２９２４８９号公報
【発明の概要】
【発明が解決しようとする課題】
【０００５】
しかしながら、上記特許文献１に記載の技術においては、例えば、ホゾ穴の長さが誤差などにより支柱よりも長い場合、耐圧板が支柱により支持されずに単に土台上に載置された状態となる。さらにホゾの長さがホゾ穴よりも短い場合、ホゾの先端面とベースプレートとの間には隙間が生じる。これらの場合、柱からの荷重が耐圧板から土台にかかり、土台のホゾ穴周辺がめり込むという問題が生じる。
【０００６】
そこで、本発明の目的は、柱がホゾ穴の周囲にめり込むのを抑制することが可能なホゾ穴用調整体及びホゾ穴用調整板を提供することである。
【課題を解決するための手段】
【０００７】
本発明のホゾ穴用調整体は、柱のホゾが嵌め込まれるホゾ穴内に配置されるホゾ穴用調整体であって、硬質の薄板状からなる１以上のホゾ穴用調整板と、前記ホゾ穴用調整板よりも厚みの大きい硬質の角柱状からなるホゾ穴用ブロックとが互いに分離可能に積層されて構成され、前記ホゾ穴に嵌め込まれた前記ホゾの先端面と前記先端面と対向する対向部との間の隙間を埋めるために配置される。
【０００８】
これによると、ホゾ及びホゾ穴の少なくとも一方に誤差が生じていても、ホゾ穴に嵌め込まれたホゾの先端面と対向部との間の隙間を、ホゾ穴用調整体で埋めることが可能となる。このため、ホゾ穴用調整体を介してホゾの先端面を対向部で支持することが可能となる。したがって、柱からの荷重をホゾの先端面でも受けることが可能となって、柱がホゾ穴の周囲にめり込むのを抑制することが可能となる。また、ホゾ穴用調整体が１以上のホゾ穴用調整板を含むため、ホゾ穴用調整体の厚みを、ホゾの先端面と対向部との間の隙間に応じて調整することが可能となる。
【０００９】
また、本発明のホゾ穴用調整体は、別の観点では、柱のホゾが嵌め込まれるホゾ穴内に配置されるホゾ穴用調整体であって、硬質の薄板状からなる複数のホゾ穴用調整板が互いに分離可能に積層されて構成され、前記ホゾ穴に嵌め込まれた前記ホゾの先端面と前記先端面と対向する対向部との間の隙間を埋めるために配置され、前記複数のホゾ穴用調整板は、第１のホゾ穴用調整板と前記第１のホゾ穴用調整板と厚みの異なる第２のホゾ穴用調整板とを含む。
【００１０】
これによると、ホゾ及びホゾ穴の少なくとも一方に誤差が生じていても、ホゾ穴に嵌め込まれたホゾの先端面と対向部との間の隙間を、ホゾ穴用調整体で埋めることが可能となる。このため、ホゾ穴用調整体を介してホゾの先端面を対向部で支持することが可能となる。したがって、柱からの荷重をホゾの先端面でも受けることが可能となって、柱がホゾ穴の周囲にめり込むのを抑制することが可能となる。また、ホゾ穴用調整体が厚みの異なる第１のホゾ穴調整板と第２のホゾ穴調整板とを含むため、ホゾ穴用調整体の厚みを、ホゾの先端面と対向部との間の隙間に応じて調整することが可能となる。
【００１１】
本発明のホゾ穴用調整板は、柱のホゾが嵌め込まれるホゾ穴内に配置されるホゾ穴用調整板であって、硬質の薄板状からなり、前記ホゾ穴に嵌め込まれた前記ホゾの先端面と前記先端面と対向する対向部との間の隙間を埋めるために配置される。
【００１２】
これによると、ホゾ及びホゾ穴の少なくとも一方に誤差が生じていても、ホゾ穴に嵌め込まれたホゾの先端面と対向部との間の隙間を、硬質の薄板状のホゾ穴用調整板で埋めることが可能となる。このため、ホゾ穴用調整板を介してホゾの先端面を対向部で支持することが可能となる。したがって、柱からの荷重をホゾの先端面でも受けることが可能となって、柱がホゾ穴の周囲にめり込むのを抑制することが可能となる。
【発明の効果】
【００１３】
本発明のホゾ穴用調整体によると、ホゾ及びホゾ穴の少なくとも一方に誤差が生じていても、ホゾ穴に嵌め込まれたホゾの先端面と対向部との間の隙間を、ホゾ穴用調整体で埋めることが可能となる。このため、ホゾ穴用調整体を介してホゾの先端面を対向部で支持することが可能となる。したがって、柱からの荷重をホゾの先端面でも受けることが可能となって、柱がホゾ穴の周囲にめり込むのを抑制することが可能となる。また、ホゾ穴用調整体が１以上のホゾ穴用調整板を含むため、ホゾ穴用調整体の厚みを、ホゾの先端面と対向部との間の隙間に応じて調整することが可能となる。
本発明のホゾ穴用調整体の別の観点によると、ホゾ及びホゾ穴の少なくとも一方に誤差が生じていても、ホゾ穴に嵌め込まれたホゾの先端面と対向部との間の隙間を、ホゾ穴用調整体で埋めることが可能となる。このため、ホゾ穴用調整体を介してホゾの先端面を対向部で支持することが可能となる。したがって、柱からの荷重をホゾの先端面でも受けることが可能となって、柱がホゾ穴の周囲にめり込むのを抑制することが可能となる。また、ホゾ穴用調整体が厚みの異なる第１のホゾ穴調整板と第２のホゾ穴調整板とを含むため、ホゾ穴用調整体の厚みを、ホゾの先端面と対向部との間の隙間に応じて調整することが可能となる。
本発明のホゾ穴用調整板によると、ホゾ及びホゾ穴の少なくとも一方に誤差が生じていても、ホゾ穴に嵌め込まれたホゾの先端面と対向部との間の隙間を、硬質の薄板状のホゾ穴用調整板で埋めることが可能となる。このため、ホゾ穴用調整板を介してホゾの先端面を対向部で支持することが可能となる。したがって、柱からの荷重をホゾの先端面でも受けることが可能となって、柱がホゾ穴の周囲にめり込むのを抑制することが可能となる。
【図面の簡単な説明】
【００１４】
【図１】本発明の一実施形態に係るホゾ穴用調整体が用いられた建物構造の部分斜視図である。
【図２】図１に示すII−II線に沿った断面図である。
【図３】図２に示すホゾ穴用調整体の斜視図である。
【図４】第１変形例に係るホゾ穴用調整体の斜視図である。
【図５】第２変形例に係るホゾ穴用調整板の斜視図である。
【発明を実施するための形態】
【００１５】
以下、本発明の一実施形態に係るホゾ穴用調整体１０が用いられた建物構造１００について、図１及び図２を参照しつつ以下に説明する。
【００１６】
本実施形態における建物構造１００は、図１及び図２に示すように、長尺な基礎１（例えば、布基礎）と、基礎パッキン２と、木製の土台３と、木製の柱４と、ホゾ穴用調整体１０とを含んでなる。基礎パッキン２は、基礎１の長手方向Ａに沿って長尺に延在した平板形状を有しており、基礎１上に配置されている。土台３は、長手方向Ａに沿って長尺に形成されており、基礎１とで基礎パッキン２を挟むように基礎パッキン２上に配置されている。また、土台３には、図２に示すように、ホゾ穴３ａが形成されている。ホゾ穴３ａは、上下方向Ｂに貫通している。なお、基礎パッキン２及び土台３は、基礎１に植設されたアンカーボルト、角座金及びナット（ともに図示せず）によって基礎１上に固定されている。
【００１７】
柱４は、図１に示すように、上下方向Ｂに沿って長尺に延在している。また、柱４には、図２に示すように、その下端面４ｂの中央から下方に突出した角柱状のホゾ４ａが形成されている。ホゾ４ａは、土台３のホゾ穴３ａに嵌合可能に形成されている。そして、柱４は、ホゾ４ａを土台３のホゾ穴３ａに嵌め込まれて土台３上に立設される。
【００１８】
ホゾ穴用調整体１０は、図３に示すように、２枚のホゾ穴用調整板１１，１２と、ホゾ穴用ブロック１３とを有し、これらが上から順に分離可能に積層されて直方体形状に構成されている。これらホゾ穴用調整板１１，１２及びホゾ穴用ブロック１３は、いずれも同じ材質（例えば、ポリエチレン樹脂、ポリプロピレン樹脂、ポリスチレン樹脂などのポリオレフィン系樹脂、ＡＢＳなどのエンジニアリングプラスチックなどの合成樹脂、アルミニウム、ステンレスなどの金属、硬質ゴムなどを広く使用することができ、要するにホゾの先端面からかかる荷重によって圧し潰されない（ホゾの先端が減り込まない）程度の硬質を有するものであればよい。）から構成されているが、互いに異なる材料から構成されていてもよい。なお、ホゾ穴用調整板１１，１２及びホゾ穴用ブロック１３の材質としては、加工や取り扱いなどの面から、ポリプロピレン樹脂などのポリオレフィン系樹脂を用いるのがより好ましく、ポリオレフィン系樹脂などの合成樹脂を用いる場合には、炭酸カルシウムなどの充填材を適宜添加してもよい。
【００１９】
ホゾ穴用調整板１１，１２は、ホゾ穴３ａの平面形状及び平面サイズに対応しており、図３に示すように、いずれも同じ平面サイズの長方形平面形状を有する薄板部材からなる。ホゾ穴用調整板１１は、ホゾ穴用調整板１２よりも厚みが小さい。本実施形態におけるホゾ穴用調整板１１の厚みは１ｍｍとなっており、ホゾ穴用調整板１２の厚みは２ｍｍとなっているが、特に限定するものではない。つまり、これらホゾ穴用調整板１１，１２は互いに同じ厚みであってもよいし、ホゾ穴用調整板１１がホゾ穴用調整板１２よりも厚みが大きくてもよい。
【００２０】
ホゾ穴用ブロック１３は、図３に示すように、ホゾ穴用調整板１１，１２と同じ平面形状及び平面サイズを有している。また、ホゾ穴用ブロック１３は、これらホゾ穴用調整板１１、１２よりも厚みが大きいブロック状部材からなる。本実施形態におけるホゾ穴用ブロック１３は、厚みが４０ｍｍ〜８０ｍｍ程度であるが、ホゾ穴用調整板１１、１２よりも厚みが大きければどのような厚みであってもよい。
【００２１】
本実施形態においては、図２に示すように、柱４のホゾ４ａがホゾ穴３ａに嵌め込まれたときのホゾ４ａの先端面４ａ１と基礎パッキン２（対向部）の上面２ａとの間の高さとホゾ穴用調整体１０の厚みとがほぼ同じになっており、ホゾ穴用調整体１０が先端面４ａ１と上面２ａとの間の隙間３ｂを埋めることが可能となっている。つまり、本実施形態におけるホゾ穴用調整体１０は、柱４のホゾ４ａを土台３のホゾ穴３ａに嵌め込む前に、２枚のホゾ穴用調整板１１，１２とホゾ穴用ブロック１３とが積層された状態でホゾ穴３ａに挿入される。その後に、ホゾ４ａがホゾ穴３ａに嵌め込まれて柱４が土台３上に立設される。このとき、ホゾ４ａの先端面４ａ１がホゾ穴用調整体１０（ホゾ穴用調整板１１の上面）と当接し、柱４からの荷重の一部がホゾ穴用調整体１０を介して基礎パッキン２に伝達される。つまり、柱４は土台３のみならず、ホゾ穴用調整体１０を介して基礎パッキン２によっても支持される。
【００２２】
以上に述べたように、本実施形態のホゾ穴用調整体１０によると、ホゾ４ａの長さとホゾ穴３ａの深さの少なくとも一方に誤差が生じていても、ホゾ穴３ａに嵌め込まれたホゾ４ａの先端面４ａ１と基礎パッキン２の上面２ａとの間の隙間３ｂを、ホゾ穴用調整体１０で埋めることが可能となる。このため、ホゾ穴用調整体１０を介してホゾ４ａの先端面４ａ１を基礎パッキン２で支持することが可能となる。したがって、柱４からの荷重をホゾ４ａの先端面４ａ１でも受けることが可能となって、柱４がホゾ穴３ａの周囲（土台３の上面であって柱４の下端面４ｂと対向する部分）にめり込むのを抑制することが可能となる。
【００２３】
また、ホゾ穴用調整体１０が２枚のホゾ穴用調整板１１，１２を含む。このため、ホゾ４ａの先端面４ａ１と基礎パッキン２との間の隙間３ｂが若干小さくなってもホゾ穴用調整板１１、１２の枚数を減らすなどして、当該隙間３ｂに応じて調整することが可能となる。なお、ホゾ穴用調整体１０は、１又は３枚以上のホゾ穴用調整板を有していてもよい。これにおいても同様の効果を得ることが可能となる。
【００２４】
上述の実施形態においては、土台３のホゾ穴３ａに柱４のホゾ４ａが嵌め込まれたときの、ホゾ４ａの先端面４ａ１と基礎パッキン２の上面２ａとの間の隙間３ｂと、ホゾ穴用調整体１０の厚みとがちょうど対応しているが、当該隙間３ｂが大幅に小さくてもよい。このような場合、図４に示すように、第１変形例として、２枚のホゾ穴用調整板１１，１２からなるホゾ穴用調整体２１０を採用してもよい。つまり、上述のホゾ穴用調整体１０において、ホゾ穴用ブロック１３を有していないものと同様であってもよい。このようなホゾ穴用調整体２１０により、上下方向Ｂの高さが小さくなった隙間においても隙間を埋めることが可能となる。
【００２５】
これにより、上述の実施形態と同様に、ホゾ穴用調整体２１０を介してホゾ４ａの先端面４ａ１を基礎パッキン２の上面２ａで支持することが可能となる。したがって、柱４からの荷重をホゾ４ａの先端面４ａ１でも受けることが可能となって、柱４が土台３のホゾ穴３ａの周囲にめり込むのを抑制することが可能となる。
【００２６】
また、ホゾ穴用調整体２１０が厚みの異なる第１のホゾ穴調整板１１と第２のホゾ穴調整板１２とを含むため、ホゾ穴用調整体２１０の厚みを、ホゾ４ａの先端面４ａ１と基礎パッキン２の上面２ａとの間の隙間に応じて調整することが可能となる。なお、本変形例におけるホゾ穴用調整体２１０は、互いに同じ厚みのホゾ穴用調整板から構成されていてもよい。また、ホゾ穴用調整体は、３以上のホゾ穴用調整板から構成されていてもよい。このときのホゾ穴用調整板の厚みは互いに異なっていてもよいし、少なくとも２以上のホゾ穴用調整板の厚みが同じであってもよい。
【００２７】
また、さらに、土台３のホゾ穴３ａに柱４のホゾ４ａが嵌め込まれたときの、ホゾ４ａの先端面４ａ１と基礎パッキン２の上面２ａとの間の隙間が小さくてもよい。このような場合、図５に示すように、第２変形例として、上述の１枚のホゾ穴用調整板１１だけを採用してもよい。このようなホゾ穴用調整板１１により、上下方向Ｂの高さが小さくなった隙間においても隙間を埋めることが可能となる。これにより、上述の実施形態と同様に、ホゾ穴用調整板１１を介してホゾ４ａの先端面４ａ１を基礎パッキン２の上面２ａで支持することが可能となる。したがって、柱４からの荷重をホゾ４ａの先端面４ａ１でも受けることが可能となって、柱４が土台３のホゾ穴３ａの周囲にめり込むのを抑制することが可能となる。
【００２８】
以上、本発明の好適な実施形態について説明したが、本発明は上述の実施形態に限られるものではなく、特許請求の範囲に記載した限りにおいて様々な変更が可能なものである。例えば、上述の実施形態及び各変形例においては、ホゾ穴用調整体１０，２１０及びホゾ穴用調整板１１は、土台３のホゾ穴３ａに柱４のホゾ４ａが嵌め込まれたときに形成される隙間に配置させていたが、胴差し、床梁及び小屋梁などの梁の貫通したホゾ穴に柱のホゾが上下から嵌め込まれた場合の一方（上方又は下方）のホゾの先端面と他方（下方又は上方）のホゾの先端面（対向部）との間の隙間に配置してもよいし、貫通していない有底形状のホゾ穴に柱のホゾを嵌め込んだ場合のホゾの先端面とホゾ穴の底部（対向部）との間の隙間に配置してもよいし、基礎パッキン２の上面２ａにホゾ穴に嵌合する突起が形成されている場合、ホゾと突起（対向部）との間の隙間に配置してもよいし、基礎パッキンが設けられていない場合、ホゾと基礎との間の隙間などに配置してもよい。要するに、ホゾ穴用調整体１０，２１０及びホゾ穴用調整板１１は、ホゾ穴に嵌め込まれたホゾの先端面と当該先端面と対向する対向部との間の隙間を埋めるために配置されるものであればよい。
【符号の説明】
【００２９】
１  基礎
２  基礎パッキン（対向部）
３  土台
３ａ  ホゾ穴
３ｂ  隙間
４  柱
４ａ  ホゾ
４ａ１  先端面
１０，２１０  ホゾ穴用調整体
１１  ホゾ穴用調整板（第１のホゾ穴用調整板）
１２  ホゾ穴用調整板（第２のホゾ穴用調整板）
１３  ホゾ穴用ブロック
【図１】
2020183633.tif 000003
【図２】
2020183633.tif 000004
【図３】
2020183633.tif 000005
【図４】
2020183633.tif 000006
【図５】
2020183633.tif 000007